(57)【要約】【課題】  障子が閉じている状態で網戸レール部材の取り外しや上方への移動を防止でき、防犯性能を向上することができる建具を提供すること。【解決手段】  引違い窓の下枠１２は、下枠本体１２４と、下枠本体に着脱可能に取付けられた網戸レール部材３４とを備え、上面略平坦に構成される。下枠本体は、係合溝１５３と係合壁部１５１とを備える。網戸レール部材３４は、係合溝に係合する係合部３４４Ａと、係合壁部に当接する当接片部３４２と、網戸レール部材の室外側を上方に移動して係合部を中心として回転させた際に、障子１５に当接した場合には、係合部、当接片部が係合溝、係合壁部から外れることを防止し、かつ、窓枠から障子が取り外されていて障子に当接しなかった場合には、当接片部が係合壁部から外れて網戸レール部材を下枠本体から取り外すことを可能とする突出片部３４５とを備える。【選択図】  図５
2006188923.tif 000002
【特許請求の範囲】
【請求項１】
上枠、下枠、および左右の縦枠を有する窓枠と、この窓枠内側に開閉可能に支持された障子とを備えた建具であって、
前記下枠は、前記障子の戸車を案内するレール部を有する下枠本体と、このレール部の室外側に配置されて前記下枠本体に着脱可能に取り付けられた網戸レール部材とを備え、これらのレール部および網戸レール部材の上面により当該下枠が上面略平坦に構成され、
前記下枠本体は、室外側に向かって開口された係合溝と、この係合溝の室外側に形成されて上方に突設された係合壁部とを備え、
前記網戸レール部材は、前記係合溝に係合して上方への移動が規制される係合部と、前記係合壁部の室内側に当接されて室外側への移動を規制される当接片部と、突出片部とを備え、
前記突出片部は、前記網戸レール部材の室外側を上方に移動し、前記係合部を中心として網戸レール部材を室内側に回転させた際に、前記障子が窓枠内に組み込まれている場合には、前記障子に当接して前記係合部および当接片部が前記係合溝および係合壁部から外れることを防止し、前記障子が窓枠から取り外されていて前記障子に当接しなかった場合には、前記係合部および当接片部が前記係合溝および係合壁部から外れて網戸レール部材を下枠本体から取り外すことを可能とする位置に設けられている建具。
【請求項２】
前記網戸レール部材の突出片部は、障子が室外側に移動された際に、その障子に当接することで、その障子の戸車が前記レール部から脱落することを防止可能な位置に設けられている請求項１に記載の建具。
【請求項３】
前記下枠本体の係合壁部は、室内側に突出する係合突部を有し、
前記網戸レール部材の当接片部は、前記係合突部に係合可能な係合凹部を有する請求項１または請求項２に記載の建具。
【請求項４】
前記網戸レール部材は、上面部と、上面部の室外側端縁から下方に延長された前記当接片部と、上面部の室内側端縁から下方に延長された壁部と、壁部の下端から室内側に延長された下面部と、下面部から上方に延長された前記突出片部とを有し、
前記上面部の室内側端縁に網戸の戸車を案内するレール部が形成され、
前記下面部の室内側端縁に前記係合部が形成されている請求項１から請求項３のいずれかに記載の建具。
【請求項５】
前記下枠本体には、上方に突出された突起が形成され、前記網戸レール部材の壁部の下端部は前記突起の室内側に配置されている請求項４に記載の建具。
【発明の詳細な説明】
【技術分野】
【０００１】
本発明は、引違い窓や片引き窓等の建具に関し、詳しくは、下枠の上面が略平坦（フラット）に形成され、室内外の床材上面との段差を小さくしたバリアフリータイプの掃出し窓に用いられる建具に関する。
【背景技術】
【０００２】
住宅等のテラスやバルコニー等に面した外壁位置には、居住者が室内からテラス等に出入りするための掃出し窓が設けられている。このような掃出し窓としては、外壁に固定された窓枠と、この窓枠内にスライド自在に支持された可動障子とを備えた、引違い窓や片引き窓等の建具（サッシ窓）が一般的である。
このサッシ窓として、近年、居住者の高齢化や、車いす利用者の利便性等に配慮したバリアフリータイプの掃出し窓が提案されている（例えば、特許文献１参照）。
【０００３】
特許文献１に記載された掃出し窓は、上面が略フラットに形成された下枠と、室内外の障子とを備えた引違い窓であって、下枠には、障子の戸車を案内するレールが形成されている。そして、下枠の室外側のレールと下枠室外側端縁に立設された室外壁部との間に凹溝部を形成し、この凹溝部に上方から網戸レール部材を嵌め込むことで、網戸を案内する網戸レール部材が着脱可能に取り付けられている。
【０００４】
【特許文献１】特開２００４−３００８１０号公報
【発明の開示】
【発明が解決しようとする課題】
【０００５】
しかしながら、前記特許文献１の図２に示す構造では、網戸を取り外して網戸レール部材を露出させると、網戸レール部材を上方に動かすことで室外側から取り外すことができる。そして、網戸レール部材が取り外されると、障子の下端縁が室外側に露出し、障子が施錠されていてもバールなどを差し込むことで障子がこじ開けられてしまい、防犯性能が低下してしまうという問題点がある。
また、特許文献１の図３に示す構造では、網戸レール部材に障子の下方に位置する突片が形成されているため、障子が窓枠内に組み込まれている場合に、網戸レール部材を上方に動かしても、前記突片が障子に係合し、網戸レール部材が取り外せないようにされている。
しかしながら、網戸レール部材を障子ごと持ち上げてしまえば、障子をレールから外したり、網戸レール部材を取り外すことができるため、十分な防犯性能を確保することが難しいという問題点もあった。
【０００６】
本発明の目的は、障子が閉じている状態で網戸レール部材の取り外しや上方への移動を防止でき、防犯性能を向上することができる建具を提供することにある。
【課題を解決するための手段】
【０００７】
本発明の建具は、上枠、下枠、および左右の縦枠を有する窓枠と、この窓枠内側に開閉可能に支持された障子とを備えた建具であって、前記下枠は、前記障子の戸車を案内するレール部を有する下枠本体と、このレール部の室外側に配置されて前記下枠本体に着脱可能に取り付けられた網戸レール部材とを備え、これらのレール部および網戸レール部材の上面により当該下枠が上面略平坦に構成され、前記下枠本体は、室外側に向かって開口された係合溝と、この係合溝の室外側に形成されて上方に突設された係合壁部とを備え、前記網戸レール部材は、前記係合溝に係合して上方への移動が規制される係合部と、前記係合壁部の室内側に当接されて室外側への移動を規制される当接片部と、突出片部とを備え、前記突出片部は、前記網戸レール部材の室外側を上方に移動し、前記係合部を中心として網戸レール部材を室内側に回転させた際に、前記障子が窓枠内に組み込まれている場合には、前記障子に当接して前記係合部および当接片部が前記係合溝および係合壁部から外れることを防止し、前記障子が窓枠から取り外されていて前記障子に当接しなかった場合には、前記係合部および当接片部が前記係合溝および係合壁部から外れて網戸レール部材を下枠本体から取り外すことを可能とする位置に設けられていることを特徴とする。
【０００８】
ここで、前記建具は、前記窓枠内側に支持された室内側および室外側の一対の障子を備え、これら一対の障子のうちの少なくとも室外側障子が開閉可能に構成され、前記網戸レール部材は室外側障子の室外側に配置されているものでもよい。
すなわち、本発明の建具としては、開閉可能な障子が１枚以上設けられていればよく、その開閉可能な障子の室外側に網戸が配置可能に構成されていればよい。例えば、建具としては、開閉可能な室外側障子と、開閉不能な室内側の固定障子とを備える片引き窓でもよいし、開閉可能な室内外の一対の障子を備える引違い窓でもよい。さらに、３枚引違い窓のように３枚以上の障子を備える建具でもよい。
また、障子としては、上框、下框、および左右の縦框（戸先框および召合せ框）を四周框組みした内部にガラスパネル等の面材が嵌め込まれた、一般的な障子が採用可能である。
【０００９】
以上の本発明によれば、網戸レール部材の係合部が、下枠本体の係合溝に係合されているため、網戸レール部材を下枠本体に対して上方に移動することができない。このため、特許文献１のように、障子が網戸レール部材とともに持ち上げられてしまうことを確実に防止でき、障子や網戸レール部材の取り外しを確実に防止できる。
また、障子が窓枠に組み込まれた状態では、下枠本体に取り付けられた網戸レール部材を回転して取り外そうとしても、突出片部が障子の下框等に当接し、それに伴い、係合部や当接片部も下枠本体の係合溝や係合壁部に挿入あるいは当接した状態に維持されるため、網戸レール部材の取り外しを確実に防止できる。
このため、障子を施錠している場合に、網戸レール部材が取り外され、障子の下框の下側にバールなどが差し込まれて障子がこじ開けられてしまうことや、障子が網戸レール部材とともに持ち上げられて障子がこじ開けられてしまうことを防止でき、建具の防犯性能を向上できる。
また、建具の施工時や、傷が付いたなどで網戸レール部材を交換する場合には、障子を窓枠から取り外しておけば、比較的簡単な手順で網戸レール部材を下枠本体に確実に着脱することができる。
【００１０】
この際、前記網戸レール部材の突出片部は、障子が室外側に移動された際に、その障子に当接することで、その障子の戸車が前記レール部から脱落することを防止可能な位置に設けられていることが好ましい。
このような構成によれば、風圧等で障子が室外側に移動しようとしても、障子が網戸レール部材の突出片部に当接し、障子の戸車がレール部から脱落することを防止できる。従って、別途、障子の脱落防止機構を設ける必要が無く、下枠の構造を簡易にできる。
【００１１】
さらに、本発明の建具では、前記下枠本体の係合壁部は、室内側に突出する係合突部を有し、前記網戸レール部材の当接片部は、前記係合突部に係合可能な係合凹部を有することが好ましい。
このような構成によれば、網戸レール部材を下枠本体に取り付けた際に、係合突部および係合凹部が互いに係合されるように構成したので、網戸レール部材の当接片部側が係合壁部に対して浮き上がることを確実に防止できる。このため、網戸レール部材が下枠本体から浮き上がっている場合に、網戸レール部材を踏むと、網戸レール部材が下枠本体にぶつかって音が生じたり、傷が付くという問題が生じるおそれがあるが、本発明では、網戸レール部材を下枠本体に密着させておくことができるので、これらの問題を確実に防止できる。
【００１２】
また、本発明の建具では、前記網戸レール部材は、上面部と、上面部の室外側端縁から下方に延長された前記当接片部と、上面部の室内側端縁から下方に延長された壁部と、壁部の下端から室内側に延長された下面部と、下面部から上方に延長された前記突出片部とを有し、前記上面部の室内側端縁に網戸の戸車を案内するレール部が形成され、前記下面部の室内側端縁に前記係合部が形成されていることが好ましい。
このような構成によれば、網戸の戸車を案内するレール部の直下に壁部が形成されているので、網戸の荷重を壁部を介して下枠本体で支持できる。このため、網戸レール部材をそれほど肉厚に形成する必要が無い。また、網戸レール部材の断面形状がそれほど複雑にならないので、網戸レール部材をアルミの押出成形などで容易に製造できる。
【００１３】
さらに、本発明の建具では、前記下枠本体には、上方に突出された突起が形成され、前記網戸レール部材の壁部の下端部は前記突起の室内側に配置されていることが好ましい。
このような構成によれば、突起を形成したので、障子が突出片部に当接して荷重が加わった際に、壁部の下端部が突起に当接してその荷重の一部を支持できる。このため、網戸レール部材の剛性を向上させるために肉厚に形成したり、壁部および当接片部間に補強リブを掛け渡して構成する必要がなく、網戸レール部材の製造コストを低減できる。
【発明を実施するための最良の形態】
【００１４】
以下、本発明の実施形態を図面に基づいて説明する。
図１は、本発明の第１実施形態に係る建具である引違い窓１０を室内側から見た正面図である。図２、図３は、引違い窓１０を示す縦断面図、および横断面図である。
図１〜図３において、引違い窓１０は、戸建て住宅等の建物の外壁開口部に設けられて建物の室内空間と室外空間とを仕切るもので、気密性や水密性、遮音性等について所定の性能を有している。そして、引違い窓１０の下枠１２（後述）は、上面が室外側のテラスやバルコニに設置されるデッキの上面および室内床面ＦＬと略同一の高さ位置に設けられ、上面略平坦（フラット）に形成されている。従って、居住者が引違い窓１０を通って室内外間を往来する際に、室内外床レベルの段差がないので上り下りする必要がなく、楽に出入りできるとともに、車いすを利用する居住者であっても容易に出入りできるようになっている。すなわち、引違い窓１０は、室内外の床段差を小さくした、バリアフリータイプ（ユニバーサルデザイン）の掃出し窓である。
【００１５】
引違い窓１０は、上枠１１、下枠１２、および左右の縦枠１３を四周枠組みした窓枠１４と、この窓枠１４の内側に開閉自在に支持された室内外一組の障子１５とを備えて構成されている。窓枠１４は、建物の外壁開口部における柱や壁パネル等の建物躯体に固定されている。障子１５は、上框１６、下框１７、および左右の縦框１８を四周框組みした内部に、ガラスパネル（複層ガラス）１９を嵌め込んで構成されている。このガラスパネル１９は、上框１６、下框１７、および左右の縦框１８の内周開口部に設けられたガスケット１９Ａに支持されている。また、一組の障子１５の室外側には、網戸２０が窓枠１４内に開閉自在に支持されている。網戸２０は、四周枠組みされた網戸枠２１と、この網戸枠２１に固定されたネット２２とを有して構成されている。
【００１６】
一組の障子１５は、室内側障子１５Ａと、室外側障子１５Ｂとが、窓枠１４の見付け方向（図３中、左右方向）略中央位置の召合せ部分２３で重なって閉じるようになっている。そして、室内外の障子１５Ａ，１５Ｂは、召合せ部分２３の縦框（召合せ框）１８Ａ，１８Ｂに設けられた引戸錠であるクレセント２４により施錠できるようになっている。さらに、室内外の障子１５Ａ，１５Ｂにおける戸先側の縦框（戸先框）１８Ｃ，１８Ｄには、各障子１５Ａ，１５Ｂを開閉操作するためのハンドル２５が取り付けられている。
【００１７】
窓枠１４の上枠１１、下枠１２、および縦枠１３は、それぞれの室内側に配置される室内部材１１１，１２１，１３１と、室外側に配置される室外部材１１２，１２２，１３２と、これらアルミ押出形材製の室内部材１１１，１２１，１３１および室外部材１１２，１２２，１３２を連結する断熱部材１１３，１２３，１３３とを備えて構成されている。また、障子１５の上框１６、下框１７、および縦框１８Ａ，１８Ｃ，１８Ｄは、それぞれの室内側に配置される室内部材１６１，１７１，１８１と、室外側に配置される室外部材１６２，１７２，１８２と、これらアルミ押出形材製の室内部材１６１，１７１，１８１および室外部材１６２，１７２，１８２を連結する断熱部材１６３，１７３，１８３とを備えて構成されている。すなわち、引違い窓１０は、窓枠１４および障子１５における室内外間の熱の伝達が抑制された断熱サッシから構成されており、冷暖房効率に優れるとともに、冬期における結露の発生が防止できるようになっている。
【００１８】
次に、引違い窓１０における下枠１２の構造について、図４に基づいて詳しく説明する。
図４は、下枠１２を示す縦断面図である。図４において、下枠１２は、前述の室内部材１２１、室外部材１２２および断熱部材１２３からなり建物の開口部に固定される下枠本体１２４と、障子１５の戸車１７４を案内する室内側および室外側のレール部３０（３０Ａ，３０Ｂ）と、これら室内外の各レール部３０Ａ，３０Ｂの室外側側面に取り付けられて障子１５に当接する室内側および室外側の気密材３１（３１Ａ，３１Ｂ）と、室内外の各レール部３０Ａ，３０Ｂ間に着脱自在に設けられたレール間上面部材（下枠上面部）３２と、室内側レール部３０Ａよりも室内側に着脱自在に設けられた室内側上面部材３３と、室外側レール部３０Ｂよりも室外側に着脱自在に設けられた網戸レール部材３４とを備えて構成されている。そして、下枠１２は、室内部材１２１、室内側レール部３０Ａ、レール間上面部材３２、室外側レール部３０Ｂ、および網戸レール部材３４の各々の上面が略同一高さ位置に設けられて上面略フラットに形成されている。
【００１９】
下枠本体１２４の室内部材１２１には、室内側レール部３０Ａを支持する室内側レール支持部１２１Ａが形成されている。そして、室内側レール部３０Ａは、室内側レール支持部１２１Ａに着脱可能に係合されて下枠本体１２４に取り付けられている。また、室内部材１２１の室内側レール支持部１２１Ａの室内側には、上方に開口した室内側凹溝部１２１Ｂが形成されている。
一方、下枠本体１２４の室外部材１２２には、レール間上面部材３２を支持する室内外の上面部材支持部１２２Ａ，１２２Ｂと、室外側レール部３０Ｂを支持する室外側レール支持部１２２Ｃと、網戸レール部材３４を支持する網戸レール支持部１２２Ｄとが形成されている。そして、レール間上面部材３２は、上面部材支持部１２２Ａ，１２２Ｂに載置されて下枠本体１２４に取り付けられ、室外側レール部３０Ｂは、室外側レール支持部１２２Ｃに着脱可能に係合されて下枠本体１２４に取り付けられ、網戸レール部材３４は、網戸レール支持部１２２Ｄに着脱可能に係合されて下枠本体１２４に取り付けられている。
【００２０】
また、下枠本体１２４において、室外部材１２２の室内外の上面部材支持部１２２Ａ，１２２Ｂ下方には、室外側に下がる傾斜を有した傾斜面部１２２Ｅが形成されており、この傾斜面部１２２Ｅとレール間上面部材３２との間に下枠内部空間１２５が形成されている。この下枠内部空間１２５は、室外部材１２２の室外側側面に設けられ傾斜面部１２２Ｅに連続した排水孔（不図示）により室外空間に連通されており、下枠内部空間１２５に浸入した水などは、傾斜面部１２２Ｅを流れて排水孔から排出されるようになっている。また、室外部材１２２の室外側側面には、排水弁３９が取り付けられており、この排水弁３９は、排水孔を通って排出された水の逆流を防止するとともに、室外側から雨水が排水孔を通って下枠内部空間１２５側に吹き込むことを防止するようになっている。
【００２１】
次に、室内側および室外側のレール部３０Ａ，３０Ｂは、それぞれアルミ押出形材製で同一断面に形成され、図５にも示すように、上面部３０１と、この上面部３０１から上方に突出した戸車案内部３０２と、上面部３０１から下方に突出した２つの突出片部３０３とを有している。そして、室内外の各レール部３０Ａ，３０Ｂは、２つの突出片部３０３で室内外のレール支持部１２１Ａ，１２２Ｃを挟持することで下枠本体１２４に着脱自在に取り付けられている。また、各レール部３０Ａ，３０Ｂの室外側の突出片部３０３の室外側側面には、断面略Ｃ字形の気密材保持部が形成されており、この気密材保持部に気密材３１が保持されている。気密材３１の上面と各レール部３０Ａ，３０Ｂの上面部３０１とは、略同一高さ位置に設けられている。
【００２２】
また、室内側レール部３０Ａの上面部３０１と室内側上面部材３３との間、および室内側の気密材３１Ａとレール間上面部材３２との間には、それぞれ隙間が形成されており、これらの隙間には、室内側障子１５Ａにおける下框１７に形成された室内外の垂下片１７５がそれぞれ挿入されている。これと同様に、室外側レール部３０Ｂの上面部３０１とレール間上面部材３２との間、および室外側の気密材３１Ｂと網戸レール部材３４との間には、それぞれ隙間が形成されており、これらの隙間には、室外側障子１５Ｂにおける下框１７に形成された室内外の垂下片１７５がそれぞれ挿入されている。これらの隙間の幅寸法は、垂下片１７５を挿入するための最小限の寸法に設定されている。そして、室内外の障子１５Ａ，１５Ｂの各々における室外側垂下片１７５の室内側側面には、室内外の気密材３１Ａ，３１Ｂがそれぞれ当接するようになっている。これらの各気密材３１Ａ，３１Ｂは、例えば塩ビ（ＰＶＣ）等の弾性材料から形成され、先端が垂下片１７５に押圧されている。なお、各気密材３１Ａ，３１Ｂの材質は特に限定されない。
【００２３】
次に、レール間上面部材３２は、長尺角筒状に形成されたアルミ押出形材製の部材であり、下枠１２の長手方向途中位置で三分割され、下枠本体１２４に対して着脱可能に取り付けられている。このレール間上面部材３２を下枠本体１２４から取り外すことによって、下枠内部空間１２５が上方に開口するため、掃除機等を用いて下枠内部空間１２５の清掃を容易に行うことができるようになっている。
【００２４】
一方、室内側上面部材３３は、下枠本体１２４における室内部材１２１の室内側凹溝部１２１Ｂに沿って上方に開口した凹溝状に形成されている。そして、室内側上面部材３３の上面は、室内部材１２１の上面よりも若干低い位置で、室内側レール部３０Ａの上面部３０１と略同一高さ位置に設けられている。このような室内側上面部材３３によれば、室内側レール部３０Ａと室内側上面部材３３との隙間１２６から室内側凹溝部１２１Ｂに入ったゴミや埃が室内側上面部材３３に溜まるようになっている。そして、室内側上面部材３３を下枠本体１２４から取り外すことで、溜まったゴミや埃を排出できて室内側凹溝部１２１Ｂの清掃を容易に行うことができるようになる。
【００２５】
網戸レール部材３４は、所定の断面形状のアルミ押出形材製の部材であり、下枠１２の長手方向略全長に渡って取り付けられている。
具体的には、網戸レール部材３４は、上面部３４１と、上面部３４１の室外側端縁から下方に延長された当接片部３４２と、上面部３４１の室内側端縁から下方に延長された壁部３４３と、壁部３４３の下端から室内側に延長された下面部３４４と、下面部３４４の室内外方向の途中から上方に延長された突出片部３４５とを有している。
【００２６】
上面部３４１の室内側端縁は上方に凸に形成されており、網戸２０の戸車２００を案内するレール部３４１Ａが形成されている。
また、突出片部３４５の上端は、上面部３４１の上面と同じ高さ位置に形成されており、室外側レール部３０Ｂと網戸レール部材３４の上面部３４１との間の溝部分に、車椅子の車輪などが脱落することなく出入りできるように構成されている。
さらに、壁部３４３および突出片部３４５間には所定寸法の凹溝部が形成され、この凹溝部には網戸枠２１下端の垂下片が挿入されており、この垂下片が突出片部３４５に案内されることで、網戸２０を開閉操作した際に戸車２００が脱輪しないようになっている。
このような網戸レール部材３４によって室外側凹溝部１２２Ｈが塞がれて下枠１２の上面が略平坦に形成されるようになっている。また、網戸レール部材３４を下枠本体１２４から取り外すことによって、室外側凹溝部１２２Ｈが上方に開口するため、掃除機等を用いて室外側凹溝部１２２Ｈの清掃を容易に行うことができるようになる。
【００２７】
次に、網戸レール部材３４の下枠本体１２４への取付構造に関し、詳述する。
前記網戸レール支持部１２２Ｄには、室外部材１２２の室外側端縁から上方に突出された係合壁部１５１と、係合壁部１５１の室内側の位置において上方に突設された突起１５２と、突起１５２の室内側の位置において室外側に向かって開口された係合溝１５３とが設けられている。係合溝１５３の上面は、室外側に向かって開口面積が大きくなるように斜め上方に向かって形成されている。
また、係合壁部１５１の上端部には室内側に向かって突出する係合突部１５１Ａが形成されている。
【００２８】
一方、網戸レール部材３４の下面部３４４の室内側端部は、突出片部３４５よりも室内側に突出されており、この突出端部によって前記係合溝１５３に係合する係合部３４４Ａが形成されている。
また、網戸レール部材３４の当接片部３４２の下端部には、前記係合突部１５１Ａに係合する係合凹部３４２Ａが形成されている。
さらに、網戸レール部材３４の壁部３４３の下端部は、突起１５２の室内側に配置され、網戸レール部材３４が室外側に押された際に、突起１５２に当接してそれ以上室外側に移動しないように構成されている。
【００２９】
このような構成の網戸レール支持部１２２Ｄに対し、網戸レール部材３４は、図６に示すように、室外側障子１５Ｂを取り外した状態で以下の手順で取り付けられる。
まず、網戸レール部材３４を網戸レール支持部１２２Ｄに対して斜め下方に挿入し、下面部３４４の係合部３４４Ａを係合溝１５３に係合する。
そして、係合部３４４Ａを回転中心としながら、当接片部３４２を下方に移動し、係合凹部３４２Ａを係合突部１５１Ａに係合させる。これにより当接片部３４２が係合壁部１５１の室内面に当接することになる。
その後、室外側障子１５Ｂを窓枠１４に組み込むことで引違い窓１０が施工される。
【００３０】
室外側障子１５Ｂが組み込まれている状態では、網戸レール部材３４を網戸レール支持部１２２Ｄから取り外すことができないため、防犯性能が向上する。
すなわち、網戸レール部材３４を取り外そうとして、その当接片部３４２を上方に移動しても、当接片部３４２が係合壁部１５１から外れる前に、突出片部３４５が室外側障子１５Ｂの室外側垂下片１７５に当接するように、突出片部３４５の形成位置や高さ寸法等が設定されている。このため、室外側障子１５Ｂが組み込まれている状態で網戸レール部材３４を取り外そうとしても、図５に示すように、係合部３４４Ａ、突出片部３４５、当接片部３４２の３点が障子１５Ｂの下框１７や下枠本体１２４に接触するため、網戸レール部材３４を取り外すことはできない。
【００３１】
なお、網戸レール部材３４を室外側に移動しようとしても、当接片部３４２が係合壁部１５１に当接しており、かつ、壁部３４３の下端部が突起１５２に当接するため、網戸レール部材３４を室外側に移動して取り外すことはできない。
また、網戸レール部材３４全体を上方に移動しようとしても、係合部３４４Ａが係合溝１５３に係合しており、網戸レール部材３４を上方に移動して取り外すことはできない。
【００３２】
一方、室外側障子１５Ｂを窓枠１４から取り外しておけば、図６に示すように、当接片部３４２側を上方に持ち上げながら、網戸レール部材３４を係合部３４４Ａ部分を中心として回転させることで、当接片部３４２と係合壁部１５１との当接状態を解除すれば、網戸レール部材３４を室外側の斜め上方に取り外すことができる。
【００３３】
また、室外側障子１５Ｂに風圧が加わることなどで障子１５Ｂが室外側に移動しようとしても、図７に示すように、下框１７の室外側垂下片１７５が網戸レール部材３４の突出片部３４５に当接する。このため、戸車１７４がレール部３０から脱落することを防止できる。すなわち、突出片部３４５および室外側垂下片１７５間の寸法や、突出片部３４５の高さ寸法等は、網戸レール部材３４を取り外そうとしても突出片部３４５が室外側垂下片１７５に当接して係合部３４４Ａや当接片部３４２が下枠本体１２４に当接した状態を維持し、かつ、障子１５Ｂが室外側に傾いても、室外側垂下片１７５が突出片部３４５に当接して戸車１７４がレール部３０から脱落することがない寸法に設定されている。
【００３４】
このような本実施形態によれば、以下のような効果がある。
（１）室外側障子１５Ｂが窓枠１４に組み込まれた状態では、下枠本体１２４に取り付けられた網戸レール部材３４を回転して取り外そうとしても、突出片部３４５が下框１７に当接し、それに伴い、係合部３４４Ａや当接片部３４２も下枠本体１２４に当接した状態に維持されるため、網戸レール部材３４の取り外しを確実に防止できる。
このため、障子１５Ａ，１５Ｂを全閉状態として施錠している場合に、網戸レール部材３４が取り外され、障子１５Ｂの下框１７の下側にバールなどが差し込まれて障子１５Ｂがこじ開けられてしまうことを防止でき、引違い窓１０の防犯性能を向上できる。
また、網戸レール部材３４を上方に移動して取り外そうとしても、網戸レール部材３４の係合部３４４Ａが下枠本体１２４の係合溝１５３に係合されていて、網戸レール部材３４の上方への移動を規制しているため、網戸レール部材３４の取り外しを確実に防止できる。このため、障子１５Ｂが網戸レール部材３４とともに持ち上げられてしまうことを確実に防止でき、障子１５Ｂや網戸レール部材３４の取り外しを確実に防止でき、引違い窓１０の防犯性能を一層向上できる。
【００３５】
（２）一方、引違い窓１０の施工時や、傷が付いたなどで網戸レール部材３４を交換する場合には、障子１５Ｂを窓枠１４から取り外しておけば、比較的簡単な手順で網戸レール部材３４を下枠本体１２４から取り外したり、取り付けることができる。従って、メンテナンス性を低下させることなく、防犯性能の高い引違い窓１０を提供できる。
【００３６】
（３）係合壁部１５１に係合突部１５１Ａを形成し、当接片部３４２に係合凹部３４２Ａを形成し、網戸レール部材３４を網戸レール支持部１２２Ｄに取り付けた際に、係合突部１５１Ａおよび係合凹部３４２Ａが互いに係合されるように構成したので、網戸レール部材３４の当接片部３４２側が係合壁部１５１に対して浮き上がることを確実に防止でき、網戸レール部材３４を踏んだ際に浮き上がっていた網戸レール部材３４が網戸レール支持部１２２Ｄにぶつかって音が発生したり、傷が付くことも確実に防止できる。
【００３７】
（４）障子１５Ｂが室外側に移動しようとしても、下框１７の室外側垂下片１７５が網戸レール部材３４の突出片部３４５に当接するように構成したので、戸車１７４がレール部３０から脱落することを防止できる。従って、別途、障子１５の脱落防止機構を形成する必要が無く、構造を簡易にできる。
さらに、突起１５２を形成したので、障子１５Ｂが突出片部３４５に当接して網戸レール部材３４に荷重が加わった際に、壁部３４３の下端部が突起１５２に当接してその荷重の一部を支持できる。このため、網戸レール部材３４の剛性を向上させるために、肉厚に形成したり、当接片部３４２および壁部３４３間に補強リブを形成する必要がなく、網戸レール部材３４の製造コストも低減できる。
その上、網戸レール部材３４を着脱する際には、係合凹部３４２Ａと係合突部１５１Ａとを係合させたり、その係合を解除するために、網戸レール部材３４を撓ませて着脱する必要がある。本実施形態では、突起１５２を形成することで、網戸レール部材３４自体を肉厚にしたり、補強リブを形成する必要がないため、網戸レール部材３４を比較的容易に撓ませることができ、網戸レール支持部１２２Ｄに対する着脱作業を比較的容易に行うことができる。
【００３８】
なお、本発明は、前記実施形態に限定されるものではなく、本発明の目的を達成できる他の構成等を含み、以下に示すような変形等も本発明に含まれる。
例えば、前記実施形態においては、室内外一対の障子１５を有する引違い窓１０を例示して説明したが、本発明の建具は引違い窓１０に限られず、片引き窓であってもよい。本発明の建具が片引き窓の場合には、前記実施形態と同様の窓枠内側に固定障子が固定され、この固定障子の室外側に沿って開閉自在に１枚の可動障子が支持されることとなる。このような構成においても、可動障子を組み込んでおけば、網戸レール部材３４の突出片部３４５が可動障子に当接するため、網戸レール部材３４の取り外しを防止でき、防犯性能を向上できるなど、前記実施形態と同様の効果を奏することができる。
さらに、３枚以上の障子を備える建具においても、本発明を適用することができる。
【００３９】
また、網戸レール部材３４の具体的な形状、構造は前記実施形態のものに限定されない。例えば、前記実施形態では、突出片部３４５は下面部３４４から上方に突設していたが、例えば、壁部３４３から室内側に向かって水平方向あるいは斜め方向に突設するものでもよい。要するに、突出片部３４５は、網戸レール部材３４を取り外そうとした際に、当接片部３４２が係合壁部１５１から外れる前に下框１７に当接するように構成されていればよい。
但し、前記実施形態のように構成すれば、突出片部３４５も下枠上面のフラット化に役立てることができ、かつ、利用者が歩いたり、車いすが通過して突出片部３４５に荷重が加わっても、その荷重を支持しやすい構造にできる利点がある。
【００４０】
さらに、前記実施形態では、当接片部３４２に係合凹部３４２Ａを形成し、係合壁部１５１に係合突部１５１Ａを形成していたが、これらを設けなくてもよい。要するに、当接片部３４２は係合壁部１５１の室内面に当接し、突出片部３４５が下框１７に当接している状態では当接片部３４２が係合壁部１５１に当接していればよく、その具体的な構造は前記実施形態のものに限定されない。
また、突起１５２は必須のものではなく、設けなくてもよい。但し、突起１５２を設ければ、突出片部３４５に加わる障子１５の荷重を支持できるなどの利点がある。
【００４１】
また、前記実施形態では、レール部３０およびレール間上面部材（下枠上面部）３２が下枠本体１２４に対して着脱可能に構成されていたが、これに限らず、レール部およびレール下枠上面部が下枠本体に一体に形成されていてもよい。
さらに、前記実施形態の下枠本体１２４は、断熱部材１２３を有する断熱枠とされていたが、断熱部材１２３を備えない一般的な枠でもよい。
また、前記実施形態では、気密材３１がレール部３０に取り付けられていたが、これに限らず、気密材が垂下片に取り付けられていてもよい。
要するに、本発明の建具は、下枠の上面がフラットに形成され、かつ網戸レール部材３４が下枠本体に対して着脱可能に構成されていればよい。
【００４２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することがなければ、以上述べた実施形態に対し、形状、材質、数量、その他の詳細な構成は、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４３】
【図１】本発明の実施形態に係る建具を室内側から見た正面図である。
【図２】前記建具を示す縦断面図である。
【図３】前記建具を示す横断面図である。
【図４】前記建具における下枠を示す縦断面図である。
【図５】前記下枠の網戸レール支持部および網戸レール部材を示す拡大断面図である。
【図６】前記網戸レール部材の着脱状態を示す拡大断面図である。
【図７】前記網戸レール部材の障子支持状態を示す拡大断面図である。
【符号の説明】
【００４４】
１０…建具である引違い窓、１１…上枠、１２…下枠、１３…縦枠、１４…窓枠、１５…障子、２０…網戸、３０…レール部、３４…網戸レール部材、１２１…室内部材、１２２…室外部材、１２２Ｄ…網戸レール支持部、１２４…下枠本体、１５１…係合壁部、１５１Ａ…係合突部、１５２…突起、１５３…係合溝、１７４…戸車、１７５…垂下片、２００…戸車、３４１…上面部、３４２…当接片部、３４２Ａ…係合凹部、３４３…壁部、３４４…下面部、３４４Ａ…係合部、３４５…突出片部。
【図１】
2006188923.tif 000003
【図２】
2006188923.tif 000004
【図３】
2006188923.tif 000005
【図４】
2006188923.tif 000006
【図５】
2006188923.tif 000007
【図６】
2006188923.tif 000008
【図７】
2006188923.tif 000009